(57)【要約】  ドーム部の薄さを維持しつつ全面にわたって強度が均等に高いドーム型の振動板を提供する。本発明に係る振動板１は、ドーム部２を備えたドーム型の振動板であって、ドーム部２は複数の小部分４に分割されており、小部分４の境界には稜部７が形成されている。かかる構成によれば、ドーム部２全体に稜部７が存在し、稜部７がドーム部２を補強する骨の役割を果たすことができる。
2009028121.tif 000002
【特許請求の範囲】
【請求項１】
ドーム部を備えたドーム型の振動板であって、前記ドーム部は複数の小部分に分割されており、前記小部分の境界には稜部が形成されていることを特徴とする振動板。
【請求項２】
前記稜部が直線状であることを特徴とする、請求項１に記載の振動板。
【請求項３】
前記小部分が平面状であることを特徴とする、請求項１又は２に記載の振動板。
【請求項４】
前記小部分が三角形平面、四角形平面、又は六角形平面であることを特徴とする、請求項３に記載の振動板。
【請求項５】
前記ドーム部の全体にわたって前記稜部が山状に形成されていることを特徴とする、請求項１乃至４のうちいずれか一の項に記載の振動板。
【請求項６】
前記ドーム部の材料が金属であることを特徴とする、請求項５に記載の振動板。
【請求項７】
前記ドーム部の全体にわたって山状の稜部と谷状の稜部とが混在することを特徴とする、請求項１乃至４のうちいずれか一の項に記載の振動板。
【請求項８】
前記ドーム部は複数の多角すいによって形成されており、前記多角すいは三角形平面状の複数の前記小部分によって形成されていることを特徴とする、請求項７に記載の振動板。
【請求項９】
前記多角すいが三角すい、四角すい、又は六角すいであることを特徴とする、請求項８に記載の振動板。
【請求項１０】
前記小部分が内側に窪んでいる又は外側に膨らんでいることを特徴とする、請求項１又は２に記載の振動板
【請求項１１】
前記ドーム部の材料が樹脂であることを特徴とする、請求項７乃至１０のうちいずれか一の項に記載の振動板。
【請求項１２】
前記ドーム部は頂部から外縁部まで伸びるアーチ部を有し、前記アーチ部は前記稜部によって形成されることを特徴とする、請求項１乃至１１のうちいずれか一の項に記載の振動板。
【請求項１３】
前記アーチ部は、曲線状の稜部によって形成されており、全体として円弧状の形状を有することを特徴とする、請求項１２に記載の振動板。
【請求項１４】
前記アーチ部は、直線状の稜部によって形成されており、全体として略円弧状の形状を有することを特徴とする、請求項１２に記載の振動板。
【請求項１５】
前記アーチ部が複数であることを特徴とする、請求項１２乃至１４のうちいずれか一の項に記載の振動板。
【請求項１６】
前記ドーム部は、前記外縁部の一の部分から前記外縁部の他の部分まで伸延するサイドアーチ部を複数有し、該サイドアーチ部は、前記頂部を通る前記ドーム部に垂直な方向から見たとき略直線状であり、前記アーチ部に対して略平行に伸延しており、かつ、前記稜部よって形成されていることを特徴とする、請求項１２乃至１５のうちいずれか一の項に記載の振動板。
【請求項１７】
前記サイドアーチ部は略円弧状の形状を有することを特徴とする、請求項１６に記載の振動板。
【請求項１８】
前記ドーム部には、前記頂部を通って前記ドーム部を垂直に貫く軸を中心とする複数の稜部多角形が、稜部によって形成されており、前記稜部多角形を形成する稜部は谷状の稜部であり、前記稜部多角形に交差する稜部は山状の稜部であることを特徴とする、請求項１乃至３のうちいずれか一の項に記載の振動板。
【請求項１９】
前記複数の稜部多角形は、前記頂部付近から外縁部にかけて次第に大きくなるように構成されていることを特徴とする、請求項１８に記載の振動板。
【請求項２０】
前記ドーム部の前記頂部を始点とするとともに一の前記稜部多角形の頂点を通る第１仮想線と、前記ドーム部の前記頂部を始点とするとともに前記一の稜部多角形よりも１つ内側又は外側に位置する他の稜部多角形の頂点を通る第２仮想線と、を想定したとき、前記第１仮想線に頂点が重なる稜部多角形と、前記第２仮想線に頂点が重なる稜部多角形とが、前記頂部付近から前記外縁部にかけて交互に形成されていることを特徴とする、請求項１８又は１９に記載の振動板。
【請求項２１】
前記小部分の形状は、いずれも三角形であるか、いずれも台形であるか、又は、三角形と台形とが混在することを特徴とする、請求項１８又は１９に記載の振動板。
【請求項２２】
前記小部分のうち、底辺が前記頂部側に位置する小部分と、底辺が前記外縁部側に位置する小部分とが、前記稜部多角形の周方向において交互に形成されていることを特徴とする、請求項２１に記載の振動板。
【請求項２３】
前記小部分のうち、底辺が前記頂部側に位置する小部分と、底辺が前記外縁部側に位置する小部分とが、前記頂部から前記外縁部にかけて交互に形成されていることを特徴とする、請求項２１又は２２に記載の振動板。
【請求項２４】
請求項１乃至２３のうちいずれか一の項に記載の振動板を備えたことを特徴とするスピーカ。
【発明の詳細な説明】
【技術分野】
【０００１】
本発明は、スピーカに使用される振動板に関し、特にドーム部を備えたドーム型の振動板に関する。また、本発明は、上記振動板を備えたドーム型のスピーカに関する。
【背景技術】
【０００２】
スピーカに使用される振動板は、用途によってその形状が異なり、コーン型、平板型、ドーム型などがある。このうちのドーム型の振動板を使用したドーム型のスピーカは、駆動点が外周にあるため径を小さくすることができるという特徴を有している。ドーム型の振動板は、ドーム状の形状を有していることから平板型の振動板で行われているようにハニカム層を含むような多層構造にして強度を上げることは難しく、強度を上げる手法が限られている。このドーム型の振動板の強度を上げる最も単純な方法は、振動板の厚みを大きくすることであるが、厚みが大きくなると高い周波数の音がでにくくなり、また、コストも増加するなどのマイナス面がある。これに対し、特許文献１では、ドーム部に補強用のリブを設けた振動板が提案されている。かかる構成によれば、リブによってドーム部が補強されるため、リブ以外の部分については厚みを小さくすることができる。
【特許文献１】実開昭５３−８２３２９号公報
【発明の開示】
【発明が解決しようとする課題】
【０００３】
ところが、リブを設けた振動板は、全体的には強度が上がるものの、局所的に見るとリブの部分は強度が高く、リブ以外の部分は強度が低いといったように、部分的に強度の差が生じる。そのため、リブを設けた振動板は分割振動を起こしやすく、また、リブ以外の部分に力がかかると、リブとリブ以外の部分との境界に応力が集中し、この境界付近が破損しやすくなってしまう。例えば、リブ以外の部分に強いモードが立つと、リブとリブ以外の部分との境界で破損が生じてしまう恐れがある。【０００４】
そこで本発明は、ドーム部の薄さを維持しつつ全面にわたって強度が均等に高いドーム型の振動板を提供することを目的としている。また、本発明は、この振動板を備えたドーム型のスピーカを提供することを目的としている。
【課題を解決するための手段】
【０００５】
本発明は上述のような事情に鑑みてなされたものであり、本発明にかかる振動板は、ドーム部を備えたドーム型の振動板であって、前記ドーム部は複数の小部分に分割されており、前記小部分の境界には稜部が形成されていることを特徴とする。ここで、上記の「稜部」とは、隣り合う２つの面が交わってできる線分をいい、山状及び谷状に交わるいずれの場合も含まれる。かかる構成によれば、ドーム部全体に稜部が形成され、この稜部がドーム部を補強する骨の役割を果たすことができる。【０００６】
また、上記の振動板において、前記稜部が直線状であってもよい。かかる構成によれば、ドーム部の剛性をより高くすることができる。【０００７】
また、上記の振動板において、前記小部分が平面状であってもよい。かかる構成によれば、比較的単純な構成にもかかわらず、骨の役割を果たす稜部をドーム部に多数形成させることができる。【０００８】
また、上記の振動板において、前記小部分が三角形平面、四角形平面、又は六角形平面であってもよい。ここで、上記の多角形平面（三角形平面、四角形平面、及び六角形平面）には、辺が厳密に直線であるものの他、辺がわずかに湾曲したものも含まれる。【０００９】
また、上記の振動板において、前記ドーム部の全体にわたって前記稜部が山状に形成されるようにしてもよい。かかる構成によれば、ドーム部の表面を比較的滑らかに形成することができる。【００１０】
また、上記のドーム部全体にわたって稜部が山状に形成された振動板において、前記ドーム部の材料が金属であってもよい。【００１１】
また、上記の振動板において、前記ドーム部の全体にわたって山状の稜部と谷状の稜部とが混在するようにしてもよい。かかる構成によれば、小部分の境界に形成された稜部の断面角度（稜部を形成する２つの面が交わる角度）を小さくすることになるため、ドーム部の剛性をより高くすることができる。【００１２】
また、上記の振動板において、前記ドーム部は複数の多角すいによって形成されており、前記多角すいは三角形平面状の複数の前記小部分によって形成されているようにしてもよい。ここで、上記の「多角すい」には、多角すい内の各小部分の境界に形成される稜部がわずかに丸みを帯びたようなものも含まれる。上記の構成によれば、効率良く稜部を形成することができるため、ドーム部の剛性をさらに高くすることができる。【００１３】
また、上記の振動板において、前記多角すいが三角すい、四角すい、又は六角すいであってもよい。【００１４】
また、上記の振動板において、前記小部分が内側に窪んでいる又は外側に膨らむようにしてもよい。かかる構成によれば、各小部分の境界において稜部の断面角度を小さくすることができるため、小部分が平らな場合よりもドーム部の剛性を高めることができる。【００１５】
また、上記の山状の稜部と谷状の稜部とが混在する振動板において、前記ドーム部の材料が樹脂であってもよい。【００１６】
また、上記の振動板において、前記ドーム部は頂部から外縁部まで伸びるアーチ部を有し、前記アーチ部は前記稜部によって形成されるようにしてもよい。かかる構成によれば、骨の役割を果たす稜部が頂部から外縁部まで伸びることになるため、ドーム部の膨らんだ形状を維持するような張力がはたらき、振動板の剛性を高めることができる。【００１７】
また、上記の振動板において、前記アーチ部は、曲線状の稜部によって形成されており、全体として円弧状の形状を有するようにしてもよい。【００１８】
また、上記の振動板において、前記アーチ部は、直線状の稜部によって形成されており、全体として略円弧状の形状を有するようにしてもよい。【００１９】
また、上記の振動板において、前記アーチ部が複数であってもよい。【００２０】
また、上記の振動板において、前記ドーム部は、前記外縁部の一の部分から前記外縁部の他の部分まで伸延するサイドアーチ部を複数有し、該サイドアーチ部は、前記頂部を通る前記ドーム部に垂直な方向から見たとき略直線状であり、前記アーチ部に対して略平行に伸延しており、かつ、前記稜部よって形成されるようにしてもよい。かかる構成によれば、ドーム部の膨らんだ形状を維持するような張力がより多く作用し、振動板の剛性をより高めることができる。【００２１】
また、上記の振動板において、前記サイドアーチ部は略円弧状の形状を有するようにしてもよい。【００２２】
また、上記の振動板において、前記ドーム部には、前記頂部を通って前記ドーム部を垂直に貫く軸を中心とする複数の稜部多角形が、稜部によって形成されており、前記稜部多角形を形成する稜部は谷状であり、前記稜部多角形に交差する稜部は山状となるようにしてもよい。かかる構成によれば、山状及び谷状の稜部を効率良く増やすことができる。【００２３】
また、上記の振動板において、前記複数の稜部多角形が、前記頂部から外縁部にかけて次第に大きくなるように構成されるようにしてもよい。【００２４】
また、上記の振動板において、前記ドーム部の前記頂部を始点とするとともに一の前記稜部多角形の頂点を通る第１仮想線と、前記ドーム部の前記頂部を始点とするとともに前記一の稜部多角形よりも１つ内側又は外側に位置する他の稜部多角形の頂点を通る第２仮想線と、を想定したとき、前記第１仮想線に頂点が重なる稜部多角形と、前記第２仮想線に頂点が重なる稜部多角形とが、前記頂部付近から前記外縁部にかけて交互に形成されるようにしてもよい。かかる構成によれば、ドーム部の外縁付近における稜部の断面角度が小さくなるため、ドーム部の外縁付近における剛性を高めることができる。これにより、ボイスコイルの振動がドーム部全体に伝わりやすくなることから、周波数特性のコントロールを容易に行うことができる。【００２５】
また、上記の振動板において、前記小部分の形状は、いずれも三角形であるか、いずれも台形であるか、又は、三角形と台形とが混在するようにしてもよい。
また、上記の振動板において、前記小部分のうち、底辺が前記頂部側に位置する小部分と、底辺が前記外縁部側に位置する小部分とが、前記稜部多角形の周方向において交互に形成されていてもよい。
また、上記の振動板において、前記小部分のうち、底辺が前記頂部側に位置する小部分と、底辺が前記外縁部側に位置する小部分とが、前記頂部から前記外縁部にかけて交互に形成されていてもよい。【００２６】
さらに、本発明に係るスピーカは、上記の振動板を備えたことを特徴とする。
【発明の効果】
【００２７】
以上の説明から明らかなように、本発明にかかる振動板は、ドーム部全体に稜部が形成され、この稜部がドーム部を補強する骨の役割を果たすことができる。よって、本発明によれば、ドーム部の薄さを維持しつつ全面にわたって強度が均等に高いドーム型の振動板を提供することができる。また、この振動板を備えたドーム型のスピーカを提供することができる。
【図面の簡単な説明】
【００２８】
【図１】本発明の実施の形態１に係る振動板の斜視図である。
【図２】本発明の実施の形態１に係るスピーカの概略断面図である。
【図３】本発明の実施の形態２に係る振動板の斜視図である。
【図４】本発明の実施の形態３に係る振動板の斜視図である。
【図５】本発明の実施の形態３に係る振動板の部分拡大図である。
【図６】本発明の実施の形態３に係るスピーカの概略断面図である。
【図７】本発明の実施の形態４に係る振動板の斜視図である。
【図８】本発明の実施の形態５に係る振動板の斜視図である。
【図９】本発明の実施の形態６に係る振動板の斜視図である。
【図１０】本発明の実施の形態６に係る振動板の平面図及び側面図である。
【発明を実施するための最良の形態】
【００２９】
以下、本発明に係る実施形態について図を参照して説明する。以下では、全ての図面を通じて同一又は相当する要素には同じ符号を付して、その重複する説明を省略する。【００３０】
（実施の形態１）
まず、実施の形態１に係る振動板１について説明する。図１は、本実施形態にかかる振動板１の斜視図である。図１に示すように、本実施形態に係る振動板１は、ドーム状に膨らむドーム部２と、このドーム部２の外周部分に位置するエッジ部３とから主に構成されている。ドーム部２は複数の小部分４に分割されており、この小部分４は三角形平面の形状を有している。そして、各小部分４の境界には直線状の稜部７が形成されている。さらに、この稜部７は、ドーム部２の全体にわたって山状に形成されている。なお、小部分４の大きさは、ドーム部２の全面にわたってほぼ一定になっている。【００３１】
ここで、本実施形態に係る振動板１における小部分４の配置についてさらに説明する。図１に示すように、ドーム部２には、複数の小部分４が連なって頂部５を取り巻く６つの層８〜１３が形成されている。頂部５に最も近い第１層８は、頂点が振動板１の頂部５に位置する６の小部分４によって形成されており、その外縁は六角形となっている。また、第１層８の外側に位置する第２層９は、第１層８を形成する各小部分４の底辺に１つの辺が接する（共通する）６の小部分４と、その両側に隣接する１３の小部分４の合わせて１８の小部分４から形成されており、その外縁は十二角形になっている。同様に、第３層１０は３０の小部分４から形成され、その外縁が十八角形となっており、第４層１１は４８の小部分４から形成され、その外縁が二十四角形となっており、第５層１２は５４の小部分４から形成され、その外縁が三十角形となっており、第６層１３は６６の小部分４から形成され、その外縁が三十六角形となっている。【００３２】
このように、ドーム部２の各層８〜１３は、その外縁によって多角形を形成しており、また、その多角形はエッジ部３に近づくにつれて円に近くなっている。これにより、最も外側に位置する第６層１３の外縁は円に非常に近くなるため、ドーム部２の外縁部分１４は、円の形状を有するエッジ部３と無理なく結合することができる。なお、小部分４は正三角形である必要はなく、また、必ずしも厳密な三角形である必要はない。例えば、小部分４を形成する辺のうち、各層８〜１３の外縁にあたる辺を円弧状にし、各層８〜１３の外縁が全体として円を形成するようにしてもよい。かかる構成によれば、各層８〜１３の境界部分全体がゆるやかな曲線を描くことになるため、各層８〜１３の外縁を形成する小部分４同士の境界に応力が集中するのを避けることができる。【００３３】
また、図１に示すように、本実施形態に係るドーム部２は、頂部５から外縁部１４まで伸びる６つのアーチ部１５を有している。これらのアーチ部１５は、各層８〜１３の直線状の稜部７が連なって全体として略円弧状に形成されている。換言すれば、ドーム部２の頂部５から等間隔で６つの方向に各層８〜１３の小部分４の稜部７が放射状に伸びている。本実施形態では、ドーム部２上にアーチ部１５を形成するために、第２〜６層９〜１３において、アーチ部１５となる部分を境界としてこれをまたぐように頂部５側に頂点のある小部分４を続けて配置している。なお、図１では、直線状の稜部７によって、全体として略円弧状の形状を有するアーチ部１５を形成しているが、曲線状の稜部７によって、全体として円弧状の形状を有するアーチ部１５を形成するようにしてもよい。【００３４】
さらに、本実施形態に係る振動板１は、図１の形状に対応した型を用いれば製造することができる。つまり、金属などを材料とするいわゆるハードドームであれば図１の形状に対応した型を用いてプレス加工することにより製造することができる。また、綿や化繊などに樹脂を含浸したものや樹脂フィルムを材料とするいわゆるソフトドームであれば、図１の形状に対応した型を用いて加熱成型すれば、振動板１を図１のような形状とすることができる。【００３５】
また、本実施形態に係る振動板１は、後述する実施の形態３に係る振動板１Ｂ等に比べると稜部７の数を抑えることができるため、比較的固い（ドーム部２の剛性を高くできる）材料が用いられる場合に適している。例えば、ドーム部２がチタン等の金属から製造される場合に適している。【００３６】
次に、実施の形態１に係るスピーカ１６について説明する。図２は、本実施形態に係るスピーカ１６の概略断面図である。本実施形態に係るスピーカ１６は、図１の振動板１を備えたドーム型のスピーカである。図２に示すように、スピーカ１６は、振動板１の前方にイコライザ１７を備えている。また、振動板１は、その外縁付近がボイスコイル１８に接続されており、ボイスコイル１８が振動することにより振動板１も振動する。このように、本実施形態に係るスピーカ１６の構成は、一般的なドーム型スピーカと基本的に同じであるため、振動板１以外の構成部品について特別な設計変更は不要である。【００３７】
以上が、実施の形態１に係る振動板１及びスピーカ１６の説明である。このように、本実施形態に係る振動板１は、ドーム部２が複数の小部分４に分割されており、隣接する小部分４の境界のそれぞれに稜部７が形成される。これらの稜部７はドーム部２を補強する骨の役割を果たすため、振動板１の強度（剛性）を向上させることができる。【００３８】
また、これらの稜部７は、振動板１のドーム部２全体にわたって形成される。そのため、ドーム部２の強度を全体にわたって均等に高くすることができる。つまり、ドーム部２上に生じる部分的な強度差を抑えることができる。【００３９】
また、本実施形態にかかる振動板１によれば、ドーム部２を厚くせずに振動板１の強度を向上させることができるため、ドーム部２を薄いままの構成で維持することができる。これにより、この振動板１を用いたスピーカ１６によれば、低音域から高音域まで広い範囲において音を発生することができる。【００４０】
また、本実施形態に係る振動板１は、従来の振動板から形状が大きく変化したり、重量が大きくなったりすることがないため、ボイスコイル１８などのスピーカ１６の構成を従来のものから変えることなくスピーカ１６に組込むことができる。【００４１】
また、本実施形態に係る振動板１は、ドーム部２の頂部５から外縁部１４まで伸びる複数のアーチ部１５が稜部７によって形成されることから、ドーム状に膨らんだドーム部２の形状を維持するような張力がはたらく。よって、このような構成はドーム型であるスピーカ１６の剛性を高めるうえで大変有効である。【００４２】
（実施の形態２）
次に、実施の形態２に係る振動板１Ａについて説明する。図３は、本実施形態に係る振動板１Ａの斜視図である。図３に示すように、本実施形態に係る振動板１Ａは、実施の形態１の振動板１と同様に、ドーム状に膨らむドーム部２と、このドーム部２の外周部分に位置するエッジ部３とから主に構成されており、ドーム部２は複数の小部分４に分割されている。ただし、実施の形態１に係る振動板１では小部分４の形状が三角形平面であったのに対し、本実施形態に係る振動板１Ａでは小部分４の形状が六角形平面である点で、本実施形態に係る振動板１Ａの構造は実施の形態１に係る振動板１の構造と異なる。【００４３】
本実施形態に係る振動板１Ａは上記のような構造であっても、各小部分４の境界には直線状の稜部７が形成され、小部分４の大きさがドーム部２の全面にわたってほぼ一定にすることができる。そのため、ドーム部２の部分的な強度差を抑えつつ、振動板１Ａ全体の強度（剛性）を向上させることができる。【００４４】
なお、実施の形態１や上記の実施形態では、小部分４が三角形平面及び六角形平面である場合について説明したが、小部分４は三角形平面や六角形平面以外の他の多角形平面であってもよい。例えば、小部分４が四角形平面であってもよく、あるいは同一のドーム部２内で異なる多角形平面の小部分４が存在するようにしていてもよい（三角形平面と四角形平面の組合せや、五角形平面と六角形平面の組合せなど）。小部分４を四角形平面とする場合、小部分４を図１に示す隣接する２つの小部分４の頂点をそれぞれ頂点とする四角形平面とすれば、各小部分４の面積をほぼ等しくすることができる。なお、言うまでもなく、上記以外の方法で小部分４を四角形平面にしてもよい。【００４５】
以上のように、小部分４の形状として様々な多角系平面が考えられる。ただし、多角形平面のなかでも三角形平面は他の多角形に比べて配置の自由度が高いことから、小部分４を三角形平面とすると、小部分４の面積のばらつきを容易に抑えることができる。ドーム部２を面積がある程度同じである小部分４に分割することができれば、ドーム部２の強度を全体にわたってほぼ均等にすることができる。【００４６】
（実施の形態３）
次に、実施の形態３に係る振動板１Ｂについて説明する。図４は、本実施形態に係る振動板１Ｂの斜視図である。本実施形態に係る振動板１Ｂは、実施の形態１の場合と同様に、ドーム状に膨らむドーム部２と、このドーム部２の外周部分に位置するエッジ部３とから主に構成されており、ドーム部２は複数の小部分４に分割されている。また、小部分４の境界には稜部７が形成されている。ただし、実施の形態１に係る振動板１では稜部７がドーム部２全体にわたって山状に形成されているのに対し、本実施形態に係る振動板１Ｂでは稜部７が山状に形成されたものと谷状に形成されたものとが混在している点で、本実施形態に係る振動板１Ｂの構成は実施の形態１に係る振動板１の構成と異なる。さらに、本実施形態では、隣接する３つの小部分４によって、これらを３つの面とする三角すいが形成されている。このとき、三角すいを形成する残りの面（底面）は、外側に開口する開口面となっている。なお、比較しやすいように、図４に示すこの開口面と図１の小部分４とは、位置や大きさを同じにしている。【００４７】
図５は、図４に示したドーム部２のうち、頂部５付近を拡大したドーム部２の拡大図である。図中の実線は山状に形成された稜部７を表わし、点線は谷状に形成された稜部７を表わしている。図５からもわかるように、３つの小部分４によって、最も深い部分６を頂点とし、外方に開口した開口面を底面とする三角すいを形成している。なお、この三角すいは、ドーム部２の表面が削られて形成されているのではなく、表面が折り曲げられたようになっており、そのためドーム部２における各小部分４の厚さは全体にわたって均一になっている。例えば、振動板１Ｂの外側（表側）から見た場合に、内側に窪んでいる部分は、内側（裏側）から見ても内側に窪んでいる。【００４８】
このように本実施形態に係る振動板１Ｂによれば、山状の稜部７が三角すいの境界に形成されるだけでなく、谷状の稜部７が三角すいを形成する小部分４の境界に形成されることになる。そのため、本実施形態では、実施の形態１に係る振動板１に比べて稜部７の数が増加しているだけでなく、山状に形成された稜部と谷状に形成された稜部を混在させることで、小部分４の境界に形成された稜部７の断面角度（稜部７を形成する２つの小部分４が成す角度）を鋭く（小さく）することができる。これにより、稜部７はドーム部２の曲面に垂直な方向からの力に対する強度が向上し、振動板１Ｂの剛性をより高くすることができる。【００４９】
なお、本実施形に係る振動板１Ｂは、実施の形態１に係る振動板１よりも剛性を高くすることができるため、実施の形態１に係る振動板１に用いる材料よりも柔らかい材料が用いられる場合に適している。例えば、ドーム部２がポリイミド等の樹脂から製造される場合に適している。【００５０】
次に、実施の形態３に係るスピーカ１６Ｂについて説明する。図６は本実施形態に係るスピーカの概略断面図である。本実施形態に係るスピーカ１６Ｂの構成は、実施の形態１に係るスピーカ１６の構成（図２参照）と基本的に同じであるが、本実施形態に係るスピーカ１６Ｂが振動板１に代えて振動板１Ｂ（図４参照）を用いる点で実施の形態１に係るスピーカ１６の構成と異なる。【００５１】
実際のスピーカ１６Ｂにおいて、イコライザ１７と振動板１Ｂの隙間はわずかであるが、振動板１Ｂのドーム部２上に小部分４によって形成された三角すい（図４参照）が内側へ窪んでいるため（凹状になっているため）、振動板１Ｂとイコライザ１７が接触しにくい構成となっている。ところが、上記の実施形態に係るスピーカ１６Ｂの構成とは異なり、スピーカ１６Ｂが振動板１Ｂの後方（内側）にコンプレッションドライバ（図示せず）を備え、振動板１Ｂとコンプレッションドライバとの隙間がわずかである場合は、振動板１Ｂのドーム部２に設けられた三角すいを外方に突出するように（凸状に）してもよい。このとき三角すいの開口面は、ドーム部２の内側に開口することになる。三角すいが、外側に突出する（凸状の）場合であっても、各小部分４の境界に稜部７が形成され、この稜部７がドーム部２を補強する骨の役割を果たすことに変りはない。そのため、小部分４によって形成された三角すいが内側へ窪んでいる場合と同様の効果を奏することができる。【００５２】
（実施の形態４）
次に、実施の形態４に係る振動板１Ｃについて説明する。図７は、本実施形態に係る振動板１Ｃの斜視図である。図７に示すように、本実施形態に係る振動板１Ｃは、実施の形態３の場合と同様に、ドーム状に膨らむドーム部２と、このドーム部２の外周部分に位置するエッジ部３とから主に構成されており、ドーム部２は複数の小部分４に分割されている。ただし、実施の形態３の振動板１Ｂでは隣接する３つの小部分４を３つの面とする三角すいを形成しているのに対し、本実施形態に係る振動板１Ｃでは隣接する６つの小部分４を６つの面とする六角すいを形成している点で、本実施形態に係る振動板１Ｃの構成は実施の形態３に係る振動板１Ｂの構成と異なる。【００５３】
なお、比較しやすいように、図３の小部分４と図７の六角すいの開口面（底面）とは、それらの位置や大きさを同じにしている。このように、ドーム部２が図７に示すような構成であっても、隣接する小部分４の境界には稜部７が形成される。よって、これらの稜部７はドーム部２を補強する骨の役割を果たすことになり、ひいては振動板１Ｃの強度（剛性）を向上させることができる。【００５４】
以上では、小部分４によって三角すいや六角すいが形成される場合について説明したが、小部分４によって三角すいや六角すい以外の他の多角すいを形成するようにしてもよい。例えば、小部分４によって四角すいを形成するようにしても良く、あるいは同一のドーム部２内において異なる多角すいを形成するようにしてもよい（三角すいと四角すいの組合せや、五角すいと六角すいとの組合せなど）。なお、小部分４によって四角すいを形成する場合、図４に示す隣接する２つの三角形すいの底面（開口面）の頂点をそれぞれ頂点とするような底面（開口面）を有する四角すいとすれば、ほぼ均等な大きさの四角すいをドーム部２全体に形成することができる。【００５５】
さらに、以上では、ドーム部２が複数の多角すいによって形成される場合について説明したが、ドーム部２が多角すい以外の窪み部（例えば、半球状の窪み部）によって形成されるようにしてもよい。換言すれば、図１や図３に係る振動板１、１Ａの小部分４が内側に（例えば半球面状に）窪むように又は外側に突出するようにしてもよい。かかる構成であっても、小部分４の境界に形成された稜部７の断面角度（稜部を形成する２つの小部分４が成す角度）を鋭く（小さく）なることに変りはない。よって、この場合であっても、稜部７はドーム部２の曲面に垂直な方向からの力に対する強度が向上し、振動板１Ｃの剛性を高くすることができる。【００５６】
（実施の形態５）
次に、実施の形態５に係る振動板１Ｄについて説明する。図８は、本実施形態に係る振動板１Ｄの斜視図である。本実施形態に係る振動板１Ｄは、実施の形態１等の場合と同様に、ドーム状に膨らむドーム部２と、このドーム部２の外周部分に位置するエッジ部３とから主に構成されており、ドーム部２は複数の小部分４に分割されている。また、小部分４の境界には稜部７が形成されている。さらに、実施の形態３及び４の場合と同様、本実施形態に係る振動板１Ｄには、ドーム部２全体にわたって、山状の稜部７と谷状の稜部７とが混在している。ただし、実施の形態１〜４に係る振動板１〜１Ｃでは小部分４の大きさがドーム部２全体においてほぼ一定であるのに対し、本実施形態に係る振動板１Ｄでは小部分４の大きさがドーム部２の頂部付近では小さく、エッジ部３付近では大きくなっている点で、本実施形態に係る振動板１Ｄの構成は実施の形態１〜４に係る振動板１〜１Ｃの構成と異なる。【００５７】
ここで、本実施形態に係る振動板１Ｄにおける小部分４の配置についてさらに説明する。図８に示すように、ドーム部２には複数の小部分４が連なって、頂部５から外縁部１４にかけて９つの層２１〜２９が形成されている。頂部５に最も近い第１層２１は、頂点の１つが振動板１の頂部５に位置する１６の小部分４からなり、その外縁によって十六角形が形成されている。また、第１層２１の外側に位置する第２層２２は、第１層２１を形成する各小部分４の底辺に１つの辺が接する（共通する）１６の小部分４と、これらの小部分４の間に位置する１６の小部分４の合わせて３２の小部分４によって形成され、その外縁は十六角形となっている。同様に、第３〜９層２３〜２９も３２の小部分４によって形成され、その外縁は十六角形となっている。【００５８】
さらに、第１、３、５、７、９層２１、２３、２５、２７、２９の奇数層（頂部５から奇数番目の層）に形成された十六角形の頂点は頂部５を通る第１仮想線Ｃ１上に位置し、第２、４、６、８層２２、２４、２６、２８の偶数層（頂部５から偶数番目の層）に形成された十六角形の頂点は頂部５を通る第２仮想線Ｃ２上に位置する。そして、第１仮想線Ｃ１及び第２仮想線Ｃ２は重ならず、周方向にずれている。具体的には、第１仮想線Ｃ１及び第２仮想線Ｃ２は、一方の仮想線間の中央に他方の仮想線が位置し、他方の仮想線間の中央に一方の仮想線が位置する。こういった構成になるように小部分４が振動板１Ｄに配置されている。【００５９】
換言すれば、ドーム部２には、頂部５を囲むようにして頂部５付近から外縁部１４にかけて次第に大きくなるように９つの稜部多角形３１〜３９が稜部７によって形成されている。そして、頂部５を通るドーム部２に垂直な方向からの平面視において、第１仮想線Ｃ１に頂点が重なる稜部多角形３１、３３、３５、３７、３９と、第２仮想線Ｃ２に頂点が重なる稜部多角形３２、３４、３６、３８とが、頂部５付近から外縁部１４にかけて交互に形成されている。こういった構成になるように小部分４が振動板１Ｄに配置されている。なお、図８では、ドーム部２の紙面手前側にのみ第１仮想線Ｃ１と第２仮想線Ｃ２が引かれているが、紙面手前側に限らずドーム部２の全周にわたって第１仮想線Ｃ１と第２仮想線Ｃ２が引かれたとしても、稜部多角形３１、３３、３５、３７、３９の全ての頂点が第１仮想線Ｃ１に重なり、稜部多角形３２、３４、３６、３８の全ての頂点が第２仮想線Ｃ２に重なる。
さらに換言すれば、ドーム部２には稜部７が結合してなる十六角形状の９つの稜部多角形３１〜３９が形成され、その稜部多角形３１〜３９は頂部５を囲むようにして頂部５付近から外縁部１４にかけて次第に大きくなっており、いずれも頂部５を通ってドーム部２を垂直に貫く軸を中心としている。そして、ドーム部２には、複数の稜部７が形成されているが、それらの稜部７のうち稜部多角形３１〜３９を形成する稜部７は谷状になっており、稜部多角形３１〜３９に交差する稜部は山状になっている。また、頂点の１つが頂部５側に位置するとともにこの頂点に対向する辺が外縁部１４側に位置する三角形の形状を有する小部分（外縁部１４側に底辺が位置する小部分）と、頂点の１つが外縁部１４側に位置するとともにこの頂点に対向する辺が頂部５側に位置する三角形の形状を有する小部分（頂部５側に底辺が位置する小部分）が、一の稜部多角形とその稜部多角形よりも１つ内側又は外側に位置する稜部多角形との間において（稜部多角形の周方向において）交互に形成されている。さらに、底辺が頂部５側に位置する小部分と、底辺が外縁部１４側に位置する小部分とが、頂部５から外縁部１４にかけて交互に形成されている。こういった構成になるように小部分４が振動板１Ｄに配置されている。【００６０】
本実施形態に係る振動板１Ｄのように構成することで、ドーム部２の頂部５付近に山状及び谷状の稜部７を効率良く増やすことができる。また、稜部７をドーム部２の頂部５付近に多く設けることができるため、頂部５付近に力がかかるような場合には有効である。【００６１】
なお、図８に記載の振動板１Ｄでは、小部分７の形状はいずれも三角形であるが、小部分７の形状をいずれも台形としてもよく、三角形と台形とが混在するようにしてもよい。例えば、図８の三角形状の小部分７において、稜部多角形３１〜３９の一部を形成する辺（稜部）に対向する頂点の部分を、稜部多角形３１〜３９の一部を形成する辺（稜部）に平行な稜部に置換えれば、小部分７の形状を台形にすることができる。この場合、短辺が頂部５側に位置するとともに長辺（底辺）が外縁部１４側に位置する台形の形状を有する小部分（外縁部１４側に底辺が位置する小部分）と、短辺が外縁部１４側に位置するとともに長辺（底辺）が頂部５側に位置する台形の形状を有する小部分（頂部５側に底辺が位置する小部分）が、一の稜部多角形とその稜部多角形よりも１つ内側又は外側に位置する稜部多角形との間において（稜部多角形の周方向において）交互に形成されることになる。そして、底辺が頂部５側に位置する小部分と、底辺が外縁部１４側に位置する小部分とが、頂部５から外縁部１４にかけて交互に形成されることになる。【００６２】
（実施の形態６）
次に、実施の形態５に係る振動板１Ｅについて説明する。図９は、本実施形態に係る振動板１Ｅの斜視図である。本実施形態に係る振動板１Ｅは、実施の形態１等の場合と同様に、ドーム状に膨らむドーム部２と、このドーム部２の外周部分に位置するエッジ部３とから主に構成されており、ドーム部２は複数の小部分４に分割されている。また、実施の形態３と同じように、隣接する３つの小部分４によって、これらを３つの面とする三角すいが形成されている。さらに、本実施形態に係る振動板１Ｅは、実施の形態１に係る振動板１や実施の形態３に係る振動板１Ｂと同様に、ドーム部２は稜部７によって形成された略円弧状の６つのアーチ部１５を有している。ただし、本実施形態に係る振動板１Ｄのドーム部は、上記のアーチ部１５のみならず、外縁部１４の一の部分から外縁部１４の他の部分まで伸びる略円弧状の複数のサイドアーチ部４０を有している点で、実施の形態１に係る振動板１や実施の形態３に係る振動板１Ｂと構造が異なる。【００６３】
図１０（ａ）及び（ｂ）は、それぞれ本実施形態に係る振動板１Ｅの平面図及び側面図である。図１０（ａ）に示すように、サイドアーチ部４０は、頂部５を通るドーム部２に垂直な方向から見たとき直線状であり、アーチ部１５に対して平行に伸延しており、かつ、稜部７よって形成されている。このように、本実施形態に係る振動板は、ドーム部２がアーチ部１５のみならずサイドアーチ部４０を複数有していることから、ドーム部２のドーム形状を維持するような張力がより一層作用することになり、振動板１Ｅ全体の剛性が向上する。なお、図９及び図１０では、一部のサイドアーチ部４０にのみ番号を付したが、平面視において、これらの符号が付されたサイドアーチ部４０と１２０度及び２４０度の角度で交差するサイドアーチ部４０もドーム部２上に複数形成されていることは言うまでもない。【００６４】
なお、図１０の振動板１Ｅでは、サイドアーチ部４０が頂部５を通るドーム部２に垂直な方向から見たとき直線状であり、アーチ部１５に対して平行に伸延しているが、サイドアーチ部４０が、折れ線状の線や湾曲する線も含んだ略直線状であってもよく、また、アーチ部１５に対して厳密には平行でない場合も含んだ略平行に伸延するようにしてもよい。さらに、図１０の振動板１Ｅでは、サイドアーチ部４０が直線状の稜部７によって、全体として略円弧状に形成されているが、曲線状の稜部７によって、全体として円弧状に形成されるようにしてもよい。このような構成であっても、上記の構成と同様の効果を得ることができる。【００６５】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６６】
以上のように、本発明によれば、ドーム部の薄さを維持しつつ全面にわたって強度が均等に高いドーム型の振動板を提供することができる。また、この振動板を備えたドーム型のスピーカを提供することができる。よって、本発明は、スピーカの技術分野において有益である。
【図１】
2009028121.tif 000003
【図２】
2009028121.tif 000004
【図３】
2009028121.tif 000005
【図４】
2009028121.tif 000006
【図５】
2009028121.tif 000007
【図６】
2009028121.tif 000008
【図７】
2009028121.tif 000009
【図８】
2009028121.tif 000010
【図９】
2009028121.tif 000011
【図１０】
2009028121.tif 000012
【国際調査報告】
2009028121.tif 000013
2009028121.tif 000014
2009028121.tif 000015
2009028121.tif 000016
2009028121.tif 000017
2009028121.tif 000018
2009028121.tif 000019
2009028121.tif 000020